(57)【要約】【課題】    釣り用ルアーの種類には、ミノープラグと称する小魚のような泳ぎで魚を誘うものや、ポッパーと称する水しぶきを発生させて魚を誘うものなどがある。このミノープラグと  ポッパー双方のアクションを併せ持ち、双方のアクションを容易に使い分けることができる釣り用ルアーを提供することを課題とする。【解決手段】    本発明の釣り用ルアーは、水の抵抗を受る面Ｂと、水を弾き飛ばすための窪みＣをルアー本体正面へ縦に並べて設けた。【選択図】  図１
2010029129.tif 000002
【特許請求の範囲】
【請求項１】
ルアー本体正面に水の抵抗を受ける面と、水を弾き飛ばし水しぶきを発生させるための窪みを、縦に並べて設けている。このルアー本体正面部分を特徴とする釣り用ルアー。
【発明の詳細な説明】
【技術分野】
【０００１】
本発明は、二通りのアクションを使い分けて、魚を誘いだすことが容易な釣り用ルアーに関するものである。
【背景技術】
【０００２】
従来の釣り用ルアーの種類には、ミノープラグと称するルアー本体正面に設けた面やプラスチック板で水の抵抗を受けて小魚のように泳ぎ、魚を誘うものがある。また、ポッパーと称するルアー本体正面の窪みで、水しぶきを発生させて魚を誘うものなどもある。
【特許文献１】特開２００１−３３３６６０号公報
【特許文献２】特開２００２−３００８３３号公報
【発明の開示】
【発明が解決しようとする課題】
【０００３】
潮の満ち引きや小魚の数など、様々に状況が変化していく釣り場では、小魚のように泳ぐミノープラグのアクションと、水しぶきを発生させるポッパーのアクションを使い分けることで、強く魚にアピールして良い釣果を獲られる場合がある。
【０００４】
しかし、従来のミノープラグは小魚のように泳ぐだけの単独アクションであり、従来のポッパーは水しぶきを発生させるだけの単独アクションである。そのためアクションを使い分けるには、当然ルアーを交換する必要があり、そのルアー交換に伴う時間のロスが釣りの好機を逃す原因になっている。
【０００５】
前記の課題を考慮すると、容易にアクションの使い分けができる釣り用ルアーが望ましい。そこで本発明は、単一のボディでありながら、ミノープラグのアクションとポッパーのアクションを容易に使い分けることができる、釣り用ルアーを提供することを目的とする。
【課題を解決するための手段】
【０００６】
本発明の釣り用ルアーは課題を解決するために、水の抵抗を受ける面Ｂと、水を弾き飛ばして水しぶきを発生させるための窪みＣを、図１で示したようにルアー本体正面へ縦に並べて設けた。
【発明の効果】
【０００７】
本発明の釣り用ルアーは、釣り場の状況に応じてミノープラグのアクションとポッパーのアクションを瞬時に切り替え、双方のアクションを使い分けることが容易になるため、好機を逃すことなく強く魚にアピールする。
【発明を実施するための最良の形態】
【０００８】
本発明の釣り用ルアーのボディＡは、木材もしくは合成樹脂などを使用して製作され、図１〜図５で示しているように、小魚を模したボディ形状に成形される。
【０００９】
以下、ルアーの形態を詳しく説明する。本発明釣り用ルアーは本体正面に設けた面Ｂで水の抵抗を受けて泳ぐ構造になっている。そのためルアー本体正面の窪みＣの直径が必要以上に大きくなり過ぎたり、あるいは窪みＣが必要以上に深くなり過ぎた場合は、ルアー本体正面の面Ｂに受る水流が乱れ、ルアーの泳ぎが不安定になる。
【００１０】
また、本発明の釣り用ルアーは、ルアー本体正面に設けた窪みＣで水を弾き飛ばして水しぶきを発生させる構造になっている。そのため窪みＣの直径が小さくなり過ぎたり、あるいは窪みＣが浅くなり過ぎたりした場合は、水しぶきが少なくなり魚へのアピール力に欠ける。
【００１１】
前記の問題を踏まえて、小魚のように泳ぐミノープラグのアクションと、水しぶきを発生させるポッパーのアクションが、ひときわ良くなるようにルアーを成形するには、水の抵抗を受ける面Ｂの面積と、窪みＣの面積との比率を約３：１になるようにする。従って水の抵抗を受ける面Ｂと窪みＣの面積は、ルアーのサイズによって変えていく必要がある。
【実施例１】
【００１２】
ルアーフィッシングを始めるには、まず釣り竿を使用してルアーを目的のポイント目掛けて投げる。その投げたルアーが水面に着水してから、後に行う実施例を図と照らし合わせながら説明する。
【００１３】
竿先を水面に接近させ、リールで釣り糸を巻き取り、ルアーを引くことで、図６で示すようにルアーボディ全体が水中に沈んだ状態になる。この時、面Ｂで水の抵抗を受けて、小魚のように泳ぐミノープラグのアクションが起こる。
【実施例２】
【００１４】
次に、竿先を上方向に向け、リールで釣り糸を巻き取り、ルアーを引くことで、図７で示すように、ルアーボディ正面上部の窪みＣの部分が水面上に出た状態になる。この時、水は面Ｂを伝い窪みＣまで達して、窪みＣで弾き飛ばされ、水しぶきを発生するポッパーのアクションが起こる。
【００１５】
また、竿の弾力を利用して釣り糸を勢いよく引っ張ることで、窪みＣで水が強く弾き飛ばされ、前記で説明した水しぶきよりも更に大きな水しぶきが発生する。
【実施例３】
【００１６】
ここでは、実施例１、実施例２で説明したルアーアクションを交互に使い分ける実施例を説明する。まずは、魚をルアーの近くに誘き寄せる目的で、ポッパーアクション図７を使って水しぶきを発生させて、その直後に小魚のように泳ぐミノープラグのアクション図６に切り替え、魚を誘う。
【産業上の利用可能性】
【００１７】
異常気象、あるいは水質汚染などが原因で、年々減って行く釣りの対象魚。この状況がこのまま続けば、従来の釣りに使用されているルアーでは、アピール不足などが原因で魚を釣ることが、ますます難しくなって行く可能性がある。そこで、アピール力に優れている本発明の釣り用ルアーが、魚を釣るためには有利となり、需要が増える可能性がある。
【図面の簡単な説明】
【００１８】
【図１】本発明の釣り用ルアーの正面図である。
【図２】本発明の釣り用ルアーの背面図である。
【図３】本発明の釣り用ルアーの平面図である。
【図４】本発明の釣り用ルアーの底面図である。
【図５】本発明の釣り用ルアーの側面図である。
【図６】実施例１における水中でのルアーアクションを示す図である。
【図７】実施例２における水面でのルアーアクションを示す図である。
【符号の説明】
【００１９】
Ａ  ボディ
Ｂ  水の抵抗を受ける面
Ｃ  水しぶきを発生させるための窪み
Ｄ  釣り糸を接続するための輪状の針金
Ｅ  釣り針を接続するための輪状の針金
Ｆ  釣り針を接続するための輪状の針金
Ｇ  輪状の針金と釣り針を接続するための金具
Ｈ  輪状の針金と釣り針を接続するための金具
Ｉ  釣り針
Ｊ  釣り針
Ｋ  釣り糸
Ｌ  水面
Ｍ  水しぶき
【図１】
2010029129.tif 000003
【図２】
2010029129.tif 000004
【図３】
2010029129.tif 000005
【図４】
2010029129.tif 000006
【図５】
2010029129.tif 000007
【図６】
2010029129.tif 000008
【図７】
2010029129.tif 000009
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
ルアーボディ全体が水中に沈んだ状態で、ボディ正面に設けた輪状の針金に接続している釣り糸を引っ張った時、小魚の泳ぎを模擬したミノープラグと称するルアーのアクションを発生させるために、ルアー本体正面下部に水の抵抗を受ける傾斜をつけた面を設け、その直上のルアー本体正面上部には、水しぶきを発生させるための窪みが、前記の水の抵抗を受ける傾斜をつけた面と縦に並んだ形に設けられていて、この傾斜をつけた面と窪みとの面積の比率は約３対１であることを特徴とする釣り用ルアー。
【請求項２】
小魚の泳ぎを模擬したミノープラグと称するルアーの機能を持った請求項１に記載のルアーにおいて、ルアーの本体正面上部に設けた窪みの部分が水面上に出た状態で、ボディ正面に設けた輪状の針金に接続している釣り糸を引っ張ると、まずルアー本体正面下部に設けている傾斜をつけた面に水流がぶつかり、ぶつかった水流はその面を伝ってルアー本体正面上部の窪みまで達して、この窪みによって水は弾き飛ばされ水しぶきが発生することで、ポッパーと称するルアーの機能をも果たし、単一ボディでありながらミノープラグと称するルアーとポッパーと称するルアーの機能を兼ね備えたことを特徴とする釣り用ルアー。